【事件の表示】
　特願２０１０−５３１４７６「第１の電子装置と電源ユニットとを備える構成、および、電子装置の動作方法」拒絶査定不服審判事件〔平成２１年　５月　７日国際公開、ＷＯ２００９／０５６３７０、平成２３年　１月２７日国内公表、特表２０１１−５０３６９２〕について、次のとおり審決する。
【結　論】
　本件審判の請求は、成り立たない。
【理　由】
１．手続の経緯・本願発明
　
　本願は、２００８年５月２６日（パリ条約による優先権主張外国庁受理２００７年１１月２日、ドイツ、２００８年２月２６日、欧州特許庁）を国際出願日とするものであって、平成２３年１１月９日付けで拒絶理由が通知され、平成２４年２月１５日付けで手続補正がなされたが、同年９月３日付けで拒絶査定がなされ、これに対して、平成２５年１月１１日に拒絶査定不服の審判が請求されるとともに手続補正がなされたものである。
　
　そして、本願の特許請求の範囲の請求項１に係る発明（以下、「本願発明」という。）は、平成２５年１月１１日付け手続補正書の特許請求の範囲に記載された次のとおりのものと認める。
　
　「【請求項１】
　第１の電子装置（２）と、第１の電子装置（２）に接続され前記第１の電子装置（２）に主電源（１０）からの電気動作エネルギーを供給する電源ユニット（７）を備える構成であって、
　前記電源ユニット（７）はスイッチングパワーコンバータを有し、
　前記スイッチングパワーコンバータは、パルス幅変調制御信号を使用して前記スイッチングパワーコンバータのデューティサイクルを制御するための半導体スイッチを少なくとも１つ有しており、
　前記第１の電子装置（２）は、
　前記電源ユニット（７）に接続されており、前記第１の電子装置（２）を動作状態から少なくとも省エネ状態の１つに、および、少なくとも省エネ状態の１つから動作状態に切り替え、前記第１の電子装置（２）が省エネ状態に切り換えられた場合には前記電源（７）を停止させ、前記第１の電子装置（２）が動作状態に切り替えられた場合には前記電源（７）を動作させる評価ユニットと、
　前記第１の電子装置（２）を前記第２の電子装置（３）に接続するために、前記第２の電子装置（３）から受け取った補助電気エネルギーを前記評価ユニットに供給する標準インターフェース（４）と、を備え、
　前記評価ユニットのマイクロコントローラ（１７）は、前記半導体スイッチに対して、前記電源ユニット（７）の前記スイッチングパワーコンバータを制御するためのパルス幅変調制御信号を供給し、
　前記電源ユニット（７）は、省エネルギー状態において、前記半導体スイッチに対する前記パルス幅変調制御信号が停止されることによって停止する、
　ことを特徴とする構成（１）。」
　
２．引用例等
　
　原査定の拒絶理由で引用された、本願の優先日前に頒布された、特開２００５−４９６５１号公報（以下、「引用例１」という。）には、図面とともに以下の事項が記載されている。
　
ａ）「【０００１】
　本発明は、パソコン等のホスト機器に接続され、ホスト機器から入力された映像信号と同期信号とに基づいて映像を表示し、同期信号の有無等に基づいてパワーセーブモードとなるモニタ等の表示装置に関するものである。」（【０００１】の記載。）
　
ｂ）「【００１４】
　図１は、本発明に係る表示装置の実施例１である液晶表示装置Ａの内部構成を示すブロック図である。
　
液晶表示装置Ａは、ホスト機器としてのパーソナルコンピュータ（以下、ＰＣと呼ぶ）９０に、例えば１５ピンＤ−ｓｕｂコード等の接続ケーブル９２を介して接続され
接続ケーブル９２は、一端が、ＰＣ９０の、例えば１５ピンＤ−ｓｕｂコネクタ端子等の接続インタフェース９０ａに、他端が、液晶表示装置Ａの、例えば１５ピンＤ−ｓｕｂコネクタ端子等の接続インタフェース２に、それぞれ接続され
　なお、液晶表示装置Ａは、必ずしもＰＣ９０と物理的に別体に設ける必要はなく、例えば、ＰＣ９０と一体に形成されて、ＰＣ９０内でＰＣ９０のメインボード（制御部）等と・・・
【００１６】
　
ＰＣ９０は、接続インタフェース９０ａおよび接続ケーブル９２を介して、液晶表示装置Ａに、映像信号や同期信号（垂直同期信号および水平同期信号）を送信
液晶表示装置Ａには、接続ケーブル９２が接続された接続インタフェース２から、その映像信号や同期信号が入力され
　なお、１５ピンＤ−ｓｕｂコネクタを例に取ると、映像信号は第１，２，３ピン、垂直同期信号は第１４ピン、水平同期信号は第１３ピンから、液晶表示装置Ａにそれぞれ入力される。
【００１７】
　また、
ＰＣ９０は、接続インタフェース９０ａおよび接続ケーブル９２を介して、液晶表示装置Ａに、電子回路駆動用の回路電源として、いわゆる５Ｖ電源を供給
液晶表示装置Ａには、接続インタフェース２から、その５Ｖ電源が供給され
　この５Ｖ電源は、ＰＣ９０の接続インタフェース９０ａに例えば電源を持たないプラグ＆プレイ機器が接続された場合に、そのプラグ＆プレイ機器に電源を供給する目的等で設けられているものであるが、通常、独自の電源（メイン電源）を持つ表示機器では使用されていない。
　なお、
１５ピンＤ−ｓｕｂコネクタを例に取ると、５Ｖ電源は第９ピンから、液晶表示装置Ａに入力され
　
ｃ）「【００２１】
　次に、液晶表示装置Ａの内部構成について、図１に基づいて説明する。
　なお、図１のブロック図において、一本線の矢印は、信号や制御の流れを示し、二本線の矢印は、電源の供給の流れを示している。
　
液晶表示装置Ａは、前記接続インタフェース２と、制御回路６と、同期信号検知回路１０と、映像表示部としての液晶表示部４と、外部電源コード８と、電源スイッチ１４と、メイン電源１２と
を備え
【００２２】
　液晶表示部４は、液晶パネル部とバックライト部とからなり、映像を表示可能に設けられる。
　制御回路６は、ＣＰＵやメモリ等を備えたマイコン部に構成され、接続インタフェース２から入力された映像信号および同期信号に基づく映像を液晶表示部４に表示させるべく、その映像信号および同期信号を液晶表示部４に表示させるのに適した信号に信号処理すると共に、その信号処理した信号を液晶表示部４に送信して表示制御を行う。
【００２３】
　
外部電源コード８は、１００Ｖ交流電源等の外部電源に接続され、外部電源から液晶表示装置Ａに電源を供給
　
メイン電源１２は、外部電源コード８を介して１００Ｖ交流電源等の外部電源に接続され、その外部電源を、液晶表示部４が映像を表示するために、前記液晶パネル部や前記バックライト部を駆動するのに適した所定条件の電源に変換して液晶表示部４に供給し、また、回路駆動に適した所定条件（直流５Ｖ）の電源に変換して制御回路６
に供給可能に設けられた電源回路であ
　
電源スイッチ１４は、前記外部電源からの電源をメイン電源１２に入力させる（オン）か否（オフ）かを切り換えることができるスイッチ
　回路電源スイッチ１６は、制御回路６と同期信号検知回路１０（後述）に、接続インタフェース２から入力された前記回路電源からの電源を供給するか、メイン電源１２からの電源を供給するかを切り換えることができるスイッチである。」（【００２１】〜【００２３】の記載。）
　
ｄ）「【００３５】
　次に、本発明に係る表示装置の実施例３である液晶表示装置Ｃについて説明する。
　図３は、液晶表示装置Ｃの内部構成を示すブロック図である。
　なお、実施例３の
液晶表示装置Ｃにおいて、
液晶表示装置Ａと同様の構成については、同一の符号を付し
【００３６】
　
液晶表示装置Ｃは、
同期信号検知回路１０は、常時、接続インタフェース２から入力された回路電源（５Ｖ電源）により駆動され
　
一方、制御回路６には、メイン電源１２からのみ電源が供給され
【００３７】
　また、制御回路６は、電源スイッチ１４の制御は行わず、パワーセーブ制御回路を構成しない。
　一方、
同期信号検知回路１０は、電源スイッチ１４を制御し、単体でパワーセーブ制御回路を構成
同期信号検知回路１０は、ＰＣ９０から、接続インタフェース２を介して前記同期信号（垂直同期信号および水平同期信号のいずれか一方）が入力されなくなった際には、電源スイッチ１４を、前記外部電源からメイン電源１２へ電源供給しないよう切り換えて（オフにして）、液晶表示部４への電源の供給を止めさせる（電源オン／オフ制御）ことで、液晶表示装置Ｃをパワーセーブモードへ移行させ
また、同期信号検知回路１０は、接続インタフェース２を介して同期信号（垂直同期信号および水平同期信号の両方）が入力された際には、電源スイッチ１４を、前記外部電源からの電源をメイン電源１２に供給させるよう切り換えて（オンにして）、液晶表示部４に電源を供給させる（電源オン／オフ制御）ことで、液晶表示装置Ｃを表示モードへ移行させ
【００３８】
　実施例３の液晶表示装置Ｃの構成によれば、実施例１の液晶表示装置Ａに比較して、回路電源スイッチ１６をなくすことで、構成を単純化かつ低コスト化できる。さらに、パワーセーブモード中、ＰＣ９０から供給された回路電源を、制御回路６に供給しないため、ＰＣ９０の消費電力を低減させることができる。」（【００３５】〜【００３８】の記載。）
　
ｅ）図３には、液晶表示装置Ｃが、接続インタフェース２、液晶表示部４、制御回路６、外部電源コード８、同期信号検出回路１０、メイン電源１２、電源スイッチ１４から成る構成を有することが、示されている。
　
　してみると、引用例１には以下の発明（以下「引用例１記載の発明」という。）が記載されている。
　「液晶表示装置Ａは、ホスト機器としてのパーソナルコンピュータ（以下、ＰＣと呼ぶ）９０に、例えば１５ピンＤ−ｓｕｂコード等の接続ケーブル９２を介して接続され、
　接続ケーブル９２は、一端が、ＰＣ９０の、例えば１５ピンＤ−ｓｕｂコネクタ端子等の接続インタフェース９０ａに、他端が、液晶表示装置Ａの、例えば１５ピンＤ−ｓｕｂコネクタ端子等の接続インタフェース２に、それぞれ接続され、
　ＰＣ９０は、接続インタフェース９０ａおよび接続ケーブル９２を介して、液晶表示装置Ａに、映像信号や同期信号（垂直同期信号および水平同期信号）を送信し、
　液晶表示装置Ａには、接続ケーブル９２が接続された接続インタフェース２から、その映像信号や同期信号が入力され、
　ＰＣ９０は、接続インタフェース９０ａおよび接続ケーブル９２を介して、液晶表示装置Ａに、電子回路駆動用の回路電源として、いわゆる５Ｖ電源を供給し、
　液晶表示装置Ａには、接続インタフェース２から、その５Ｖ電源が供給され、１５ピンＤ−ｓｕｂコネクタを例に取ると、５Ｖ電源は第９ピンから、液晶表示装置Ａに入力され、
　液晶表示装置Ａは、前記接続インタフェース２と、制御回路６と、同期信号検知回路１０と、映像表示部としての液晶表示部４と、外部電源コード８と、電源スイッチ１４と、メイン電源１２とを備え、
　外部電源コード８は、１００Ｖ交流電源等の外部電源に接続され、外部電源から液晶表示装置Ａに電源を供給し、
　メイン電源１２は、外部電源コード８を介して１００Ｖ交流電源等の外部電源に接続され、その外部電源を、液晶表示部４が映像を表示するために、前記液晶パネル部や前記バックライト部を駆動するのに適した所定条件の電源に変換して液晶表示部４に供給し、また、回路駆動に適した所定条件（直流５Ｖ）の電源に変換して制御回路６に供給可能に設けられた電源回路であり、
　電源スイッチ１４は、前記外部電源からの電源をメイン電源１２に入力させる（オン）か否（オフ）かを切り換えることができるスイッチであり、
　液晶表示装置Ｃにおいて、液晶表示装置Ａと同様の、接続インタフェース２、液晶表示部４、制御回路６、外部電源コード８、同期信号検出回路１０、メイン電源１２、電源スイッチ１４から成る構成を有し、
　液晶表示装置Ｃの同期信号検知回路１０は、常時、接続インタフェース２から入力された回路電源（５Ｖ電源）により駆動され、
　一方、制御回路６には、メイン電源１２からのみ電源が供給され、
　同期信号検知回路１０は、電源スイッチ１４を制御し、単体でパワーセーブ制御回路を構成し、
　同期信号検知回路１０は、ＰＣ９０から、接続インタフェース２を介して前記同期信号（垂直同期信号および水平同期信号のいずれか一方）が入力されなくなった際には、電源スイッチ１４を、前記外部電源からメイン電源１２へ電源供給しないよう切り換えて（オフにして）、液晶表示部４への電源の供給を止めさせる（電源オン／オフ制御）ことで、液晶表示装置Ｃをパワーセーブモードへ移行させ、
　また、同期信号検知回路１０は、接続インタフェース２を介して同期信号（垂直同期信号および水平同期信号の両方）が入力された際には、電源スイッチ１４を、前記外部電源からの電源をメイン電源１２に供給させるよう切り換えて（オンにして）、液晶表示部４に電源を供給させる（電源オン／オフ制御）ことで、液晶表示装置Ｃを表示モードへ移行させる、
　液晶表示装置Ｃ。」
　
　本願の優先日前に頒布された、特開平１１−１３４０６９号公報（以下、「周知例１」という。）には、図面とともに以下の事項が記載されている。
　
ｆ）「【０００１】
【発明の属する技術分野】本発明はノートパソコンや携帯型情報端末等の電子機器の電源制御回路に関する。」（【０００１】の記載。）
　
ｇ）「【００２５】（実施の形態２）次に本発明の実施の形態２について図２を参照しながら説明する。
【００２６】図２は、ＣＰＵの動作状態の判定によって出力電圧を切り替える電源制御回路の構成図で、
電源制御回路は、切り替え手段１０と、制御手段１４であるマイクロコントローラ２２と状態判定手段でもあるＣＰＵ２０からなる
【００２７】ＣＰＵ２０のクロック状態を表す状態信号２１が、ＣＰＵ２０からマイクロコントローラ２２に入力され、状態信号２１がＣＰＵ動作状態がローモードであることを示している場合には、
マイクロコントローラ２２は制御信号１５をハイレベルにすることにより、切り替え手段１０のトランジスター１２をＯＮし、ＤＣ−ＤＣコンバータ出力電圧Ｖｏを低いモードにする
【００２８】次に、状態信号２１がＣＰＵ動作状態がハイモードであることを示している場合には、
マイクロコントローラ２２は制御信号１５をローレベルにすることによりトランジスター１２をＯＦＦし、ＤＣ−ＤＣコンバータ出力電圧Ｖｏを高いモードに切り替える
【００２９】また、マイクロコントローラ２２は、ＣＰＵ２０のデータバスと制御信号ラインにマイクロコントローラ２２が接続されたホストインタフェース２３を介して、ＣＰＵ２０からの電圧制御データを受信して、制御信号１５のレベルを制御し、ＤＣ−ＤＣコンバータ１の出力電圧Ｖｏを切り替えることができる。
【００３０】（実施の形態３）次に、本発明の実施の形態３について図３を参照しながら説明する。
【００３１】図３は、本発明の
ＰＷＭ制御信号によって出力電圧を切り替える電源制御回路
制御信号１５がＰＷＭである
【００３２】例えば、ＤＣ−ＤＣコンバータ１の抵抗７＝１ｋΩ、抵抗８＝３ｋΩ、電圧切替用抵抗＝５６ｋΩ、基準電圧＝１．２５Ｖとすると制御信号１５がハイレベルの時はＤＣ−ＤＣコンバータ出力電圧Ｖｏは４．８Ｖであり、制御信号１５がローレベルの時はＤＣ−ＤＣコンバータ出力電圧Ｖｏは５．０Ｖである。
【００３３】一方、
制御信号１５はマイクロコントローラ２２によってＰＷＭ信号として出力され、
【００３４】
ＰＷＭ信号はマイクロコントローラ２２が出力ポートにハイレベルとローレベルを切り替えて出力することにより得られる
【００３５】
ＰＷＭ信号のデューティ比は、
これによってＤＣ−ＤＣコンバータ出力電圧Ｖｏは、
多段階に切り替えることができる
　
　本願の優先日前に頒布された、特開２００２−９５２４６号公報（以下、「周知例２」という。）には、図面とともに以下の事項が記載されている。
　
ｈ）「【０００２】
【従来の技術】最近、
切換え型電源装置が、コンピュータやコンピュータの周辺機器に使われるようになってきた
このような切換え型電源装置の電源制御回路として、一般的には、パルス幅変調、（ＰＷＭ）制御装置を用いる
　
ｉ）「【００１２】
【発明の概要】本発明の目的は、通常のモードでコンピュータホストの電源信号にしたがって動作する電源装置を提供することである。このホストはＤＰＭＳモードのとき電源信号を出力しないため、モニターへの電源は遮断される。したがってＤＰＭＳモードのときのモニターの消費電源は減少し、回路部品の複雑さやコストも抑えられる。」（【００１２０】の記載。）
　
ｊ）「【００１８】以下に、上記の電源装置の動作について述べる。コンピュータホスト３１が通常のモードで動作していることを想定し、したがって
ホスト３１は、モニター３２に電源信号Ｖｉｎを提供し、切換え装置１３をオンにする
ＤＣ電圧を、始動回路１４を介して電源制御チップ５に提供する
電源制御チップ５は可動となって、定期的切換え信号を出し、制御トランジスタ６を連続的に切換える（オン、オフする）
これによってＤＣ出力電圧が、他の回路装置（図示せず）に提供される
【００１９】
コンピュータホスト３１がＤＰＭＳモードで動作しているとき、ホスト３１の電源信号Ｖｉｎは遮断される
切換え装置１３はオフとなり、電源制御チップ５は不可となる
電源制御チップ５が作動しないため、制御トランジスタ６が切換え動作を停止する
電源変圧器は誘導電圧を出力できない
この電源装置とＡＣ電源との間に電流の経路がないため、外部のＡＣ電圧はこの電源装置に電源を提供できない
　
　本願の優先日前に頒布された、実願昭６２−１７３３６５号（実開平１−７９３８９号）のマイクロフィルム（以下、「周知例３」という。）には、図面とともに以下の事項が記載されている。
　
ｋ）「【産業上の利用分野】
　本考案は、ＡＣ電圧若しくはＤＣ電圧を入力してＤＣ出力をするスイッチング電源に係り、特にスイッチング電源のオンオフをリモートコントロールする場合の改良に関する。
　【従来の技術】
　第４図は従来の
スイッチング電源
ＡＣ電圧若しくはＤＣ電圧を入力してＤＣ出力をするコンバータ部１０と、このＤＣ出力を安定化する出力安定化部２０と、この出力安定化部２０の動作に必要な電圧を供給する補助電源３０と、このコンバータ部１０の動作をオンオフする外部スイッチ４０とよりなる
外部スイッチ４０は一次側のＡＣ電圧をオンオフするのは電圧が高く危険なので、二次側の出力安定化部２０に動作を許可する信号を与えることでコンバータ部１０のオンオフをしている
　次に詳細を説明する。
コンバータ部１０は
スイッチング素子１３は一次側の平滑化された信号をオンオフするもので、トランジスタやＦＥＴが使用される
　トランスＴ１の二次側にはスイッチング信号が現れるから、これをダイオードを組合せた整流回路１４と平滑化用のキャパシタ１５と位相補償用のインダクタ１６とからなる整流平滑化回路によって、ＤＣ出力電圧を得ている。
　
出力安定化部２０は、
スイッチング素子１３のオンオフする周期を制御する信号を出力するＰＷＭ（ｐｕｌｓｅ　ｗｉｄｔｈ　ｍｏｄｕｌａｔｉｏｎ）制御部２２
よりなる
ＰＷＭ制御部２２の駆動電圧はＤＣ出力電圧と必ずしも一致しないから、専用の補助電源３０をを設けている
　
ｌ）「
ＰＷＭ制御部２２はコンバータ部１０の動作をオフするためにスイッチング素子１３の制御信号の出力を停止する
　
　原査定の拒絶理由で引用された、本願の優先日前に頒布された、特開平１１−３０５８８０号公報（以下、「周知例４」という。）には、図面とともに以下の事項が記載されている。
　
ｍ）「【００４１】次に、図６を参照して、図５に示すスイッチング電源３０ｄの詳細な構成について説明する。この図に示すように、
スイッチング電源３０ｄは、スイッチング部５０、平滑化コイル５１、比較部５２、基準電圧部５３、ＰＷＭ制御部５４、および、制御スイッチ５５によって構成されている
【００４２】スイッチング部５０は、図示せぬ整流回路（商用電源電圧を降圧して整流する回路）から供給される、約１００Ｖの直流をスイッチングして所定の電圧まで降圧して出力する。
【００４３】平滑化コイル５１は、スイッチング部５０から出力された矩形波を平滑化して直流電圧を生成し、出力する。
比較部５２は、平滑化コイル５１の出力電圧Ｖｏｕｔと、基準電圧部５３からの基準電圧Ｖｒｅｆとを比較し、その比較結果をＰＷＭ制御部５４に対して出力する
【００４４】
ＰＷＭ（Pulse Width Modulation）制御部５４は、比較部５２の比較結果に応じてスイッチング部５０を制御する
【００４５】その結果、
「Ｖ  ｂｕｓ  ＋５Ｖ」端子に電源電圧が印加されている場合には、基準電圧部５３からは基準電圧Ｖｒｅｆが出力され、電源電圧が印加されていない場合には基準電圧部５３からの出力は接地レベル（＝０Ｖ）となる
　
ｎ）「【００５４】その結果、スイッチング電源３０ｄの制御スイッチ５５も、同様にｏｎの状態となり、基準電圧部５３からの基準電圧Ｖｒｅｆ＝０Ｖとなる。比較部５２は、例えば、平滑化コイル５１からの
出力電圧Ｖｏｕｔと、基準電圧Ｖｒｅｆが同一になるようにＰＷＭ制御部５４を制御しているので、基準電圧Ｖｒｅｆ＝０Ｖの場合には、出力電圧Ｖｏｕｔ＝０Ｖとなる
【００５５】
その結果、電源スイッチがｏｎの状態にされた場合においても、ＵＳＢ機器３０の内部回路には電力が供給されない状態となる
　
３．対比
　
　本願発明と引用例１記載の発明とを対比する。 
　
（１）引用例１記載の発明において、「液晶表示装置Ｃ」は「液晶表示装置Ａと同様の、接続インタフェース２、液晶表示部４、制御回路６、外部電源コード８、同期信号検出回路１０、メイン電源１２、電源スイッチ１４から成る構成を有」するものであり、
「メイン電源１２は、外部電源コード８を介して１００Ｖ交流電源等の外部電源に接続され、その外部電源を、液晶表示部４が映像を表示するために、前記液晶パネル部や前記バックライト部を駆動するのに適した所定条件の電源に変換して液晶表示部４に供給し、また、回路駆動に適した所定条件（直流５Ｖ）の電源に変換して制御回路６に供給可能に設けられた電源回路であり、
  電源スイッチ１４は、前記外部電源からの電源をメイン電源１２に入力させる（オン）か否（オフ）かを切り換えることができるスイッチ」であるから、引用例１記載の発明の「液晶表示装置Ｃ」のうち「接続インタフェース２」、「液晶表示部４」、「制御回路６、」「同期信号検出回路１０」は本願発明の「第１の電子装置（２）」に、引用例１記載の発明の「液晶表示装置Ｃ」のうち「外部電源コード８」、「メイン電源１２」、「電源スイッチ１４」は本願発明の「電源ユニット（７）」にそれぞれ相当し、引用例１記載の発明の「液晶表示装置Ｃ」は本願発明の「第１の電子装置（２）と、第１の電子装置（２）に接続され前記第１の電子装置（２）に主電源（１０）からの電気動作エネルギーを供給する電源ユニット（７）を備える構成」に相当するといえる。
　
（２）引用例１記載の発明において、「同期信号検知回路１０は、ＰＣ９０から、接続インタフェース２を介して前記同期信号（垂直同期信号および水平同期信号のいずれか一方）が入力されなくなった際には、電源スイッチ１４を、前記外部電源からメイン電源１２へ電源供給しないよう切り換えて（オフにして）、液晶表示部４への電源の供給を止めさせる（電源オン／オフ制御）ことで、液晶表示装置Ｃをパワーセーブモードへ移行させ」るものであるから、引用例１記載の発明の「同期信号検知回路１０」は本願発明の「前記電源ユニット（７）に接続されており、前記第１の電子装置（２）を動作状態から少なくとも省エネ状態の１つに」「切り替え、前記第１の電子装置（２）が省エネ状態に切り換えられた場合には前記電源（７）を停止させ」る「評価ユニット」に相当する。
　また、引用例１記載の発明において、「同期信号検知回路１０は、接続インタフェース２を介して同期信号（垂直同期信号および水平同期信号の両方）が入力された際には、電源スイッチ１４を、前記外部電源からの電源をメイン電源１２に供給させるよう切り換えて（オンにして）、液晶表示部４に電源を供給させる（電源オン／オフ制御）ことで、液晶表示装置Ｃを表示モードへ移行させ」るものであるから、引用例１記載の発明の「同期信号検知回路１０」は本願発明の「少なくとも省エネ状態の１つから動作状態に切り替え、」「前記第１の電子装置（２）が動作状態に切り替えられた場合には前記電源（７）を動作させる評価ユニット」に相当する。
　したがって、引用例１記載の発明の「液晶表示装置Ｃ」が「同期信号検知回路１０」を備えることは、本願発明の「前記第１の電子装置（２）は、
　前記電源ユニット（７）に接続されており、前記第１の電子装置（２）を動作状態から少なくとも省エネ状態の１つに、および、少なくとも省エネ状態の１つから動作状態に切り替え、前記第１の電子装置（２）が省エネ状態に切り換えられた場合には前記電源（７）を停止させ、前記第１の電子装置（２）が動作状態に切り替えられた場合には前記電源（７）を動作させる評価ユニットと、」「を備え」ることに相当するといえる。
　
（３）引用例１記載の発明において、「接続ケーブル９２は、一端が、ＰＣ９０の、例えば１５ピンＤ−ｓｕｂコネクタ端子等の接続インタフェース９０ａに、他端が、液晶表示装置Ａの、例えば１５ピンＤ−ｓｕｂコネクタ端子等の接続インタフェース２に、それぞれ接続され」「液晶表示装置Ａには、接続インタフェース２から、その５Ｖ電源が供給され、１５ピンＤ−ｓｕｂコネクタを例に取ると、５Ｖ電源は第９ピンから、液晶表示装置Ａに入力され」るものであり、「液晶表示装置Ｃ」は「液晶表示装置Ａと同様の、接続インタフェース２」「から成る構成を有し、
  液晶表示装置Ｃの同期信号検知回路１０は、常時、接続インタフェース２から入力された回路電源（５Ｖ電源）により駆動され」るものである。
　したがって、引用例１記載の発明の「液晶表示装置Ｃ」が「接続インタフェース２」を備えることは、本願発明の「前記第１の電子装置（２）は、」
　「前記第１の電子装置（２）を前記第２の電子装置（３）に接続するために、前記第２の電子装置（３）から受け取った補助電気エネルギーを前記評価ユニットに供給する標準インターフェース（４）と、を備え」ることに相当するといえる。
　
　したがって、両者は以下の一致点と相違点とを有する。 
　
＜一致点＞
　
　「第１の電子装置（２）と、第１の電子装置（２）に接続され前記第１の電子装置（２）に主電源（１０）からの電気動作エネルギーを供給する電源ユニット（７）を備える構成であって、
　前記第１の電子装置（２）は、
　前記電源ユニット（７）に接続されており、前記第１の電子装置（２）を動作状態から少なくとも省エネ状態の１つに、および、少なくとも省エネ状態の１つから動作状態に切り替え、前記第１の電子装置（２）が省エネ状態に切り換えられた場合には前記電源（７）を停止させ、前記第１の電子装置（２）が動作状態に切り替えられた場合には前記電源（７）を動作させる評価ユニットと、
　前記第１の電子装置（２）を前記第２の電子装置（３）に接続するために、前記第２の電子装置（３）から受け取った補助電気エネルギーを前記評価ユニットに供給する標準インターフェース（４）と、を備える、
　ことを特徴とする構成（１）。」
　
＜相違点＞
　
　本願発明は、「前記電源ユニット（７）はスイッチングパワーコンバータを有し、
　前記スイッチングパワーコンバータは、パルス幅変調制御信号を使用して前記スイッチングパワーコンバータのデューティサイクルを制御するための半導体スイッチを少なくとも１つ有し」、
「前記評価ユニットのマイクロコントローラ（１７）は、前記半導体スイッチに対して、前記電源ユニット（７）の前記スイッチングパワーコンバータを制御するためのパルス幅変調制御信号を供給し、
　前記電源ユニット（７）は、省エネルギー状態において、前記半導体スイッチに対する前記パルス幅変調制御信号が停止されることによって停止する」ものであるのに対し、
　引用例１記載の発明は、「外部電源コード８」、「メイン電源１２」、「電源スイッチ１４」を有し、
「同期信号検知回路１０」（本願発明の「評価ユニット」に相当する。以下、同様。）は、「液晶表示装置Ｃ」を「パワーセーブモード」（省エネ状態）へ移行させるため、「電源スイッチ１４を、前記外部電源からメイン電源１２へ電力供給しないよう切り換えて（オフにして）、」「電源の供給を止め」ている点。
　
４．当審の判断
　
＜相違点についての判断＞
　
　周知例１〜４に記載されているように、トランジスタ等のスイッチング素子（半導体スイッチ）を少なくとも１つ有し、ＰＷＭ制御部を含むコントローラによって供給されるパルス幅変調制御信号により、該スイッチング素子（半導体スイッチ）のデューティ比やオンオフする周期（デューティサイクル）を制御する電源は、一般的に「スイッチング電源」として普通に知られているものである。
　また、該スイッチング電源からの電力供給を停止させる際、トランジスタ等のスイッチング素子（半導体スイッチ）に供給されるＰＷＭ制御部（コントローラ）からの制御信号を停止させるようにすることも、周知例３，４に記載されているように、周知技術である。
　一方、引用例１記載の発明の解決課題からみて、引用例１記載の発明の「メイン電源１２」と「電源スイッチ１４」からなる構成が、「必要に応じて電力供給を停止させることができる構成」であればどのような構成であってもよいことは、当業者に明らかである。
　してみれば、引用例１記載の発明において、「メイン電源１２」を、上記普通に知られている「スイッチング電源」によって構成し、「同期信号検知回路１０」（評価ユニット）のＰＷＭ制御部（コントローラ）から供給される制御信号（パルス幅変調制御信号）によって制御するようにすると共に、「液晶表示装置Ｃ」を「パワーセーブモード」（省エネ状態）へ移行させるため、「メイン電源１２」からの「電源の供給を止め」る際、部品コストやＡＣ電圧の高さによる危険等を考慮し、「電源スイッチ１４」を「切り換えて（オフにして）、」「電源の供給を止め」ることに代えて、周知技術に倣い、該「スイッチング電源」におけるトランジスタ等のスイッチング素子（半導体スイッチ）に供給される制御信号（パルス幅変調制御信号）を停止させるようにして、上記相違点に係る本願発明の構成とすることは、当業者が容易になし得たことである。
　
　よって、本願発明は、引用例１記載の発明及び周知技術に基づいて当業者が容易に為し得たものである。
　
　そして、本願発明が奏する作用、効果についてみても、引用例１記載の発明及び周知技術から当業者が予想できる程度のものである。
　
５．むすび
　
　以上のとおり、平成２５年１月１１日付け手続補正書の特許請求の範囲の請求項１に記載された発明は、引用例１に記載された発明及び周知技術に基づいて、当業者が容易に発明をすることができたものであるから、特許法第２９条第２項の規定により特許を受けることができない。
　したがって、本願は、他の請求項について検討するまでもなく、拒絶されるべきものである。
　
　よって、結論のとおり審決する。